(57)【特許請求の範囲】
【請求項１】
ディジタル放送波を受信する受信手段と、
番組の録画予約を受け付ける番組予約手段と、
録画装置との間でデータ及び制御情報の送受を行うためのインターフェイスと、
前記インターフェイスを用いて前記録画装置による録画が実行できるかどうかに関する情報を取得して録画不可又は録画不備を生じるかどうかを判定する判定手段と、
録画予約番組がペイ・パー・ビュー番組であるかどうかを判断する番組判断手段と、
予約録画の実行前に録画予約番組がペイ・パー・ビュー番組であるとの情報を前記番組判断手段から得た場合であって且つ録画不可又は録画不備を生じるとの情報を前記判定手段から得たときには、当該録画予約番組の受信処理及び録画処理を行なわない制御をする制御手段と、を備えたことを特徴とする録画装置制御機能付き放送受信装置。
【請求項２】
請求項１に記載の録画装置制御機能付き放送受信装置において、録画予約登録時に前記録画不可又は録画不備を生じると判断されたときに録画不可又は録画不備を生じることを示す報知を行なう報知手段を備えたことを特徴とする録画装置制御機能付き放送受信装置。
【請求項３】
請求項１又は請求項２に記載の録画装置制御機能付き放送受信装置において、前記番組予約手段は、不備のない録画が行なえるとの判定が得られるまでは録画予約を受け付けないことを特徴とする録画装置制御機能付き放送受信装置。
【請求項４】
請求項１乃至請求項３のいずれかに記載の録画装置制御機能付き放送受信装置において、録画番組を再生したときに当該再生番組を特定する情報を取得して記憶しておく記憶手段を備えたことを特徴とする録画装置制御機能付き放送受信装置。
【請求項５】
請求項１乃至請求項３のいずれかに記載の録画装置制御機能付き放送受信装置において、録画番組を再生したときに当該再生番組を特定する情報を取得し、録画予約のために記憶しておいた番組の特定情報に一致するものがあれば、当該記憶している特定情報に対して再生済みを示す情報を付加して更新する記憶手段を備えたことを特徴とする録画装置制御機能付き放送受信装置。
【請求項６】
請求項４又は請求項５に記載の録画装置制御機能付き放送受信装置において、前記制御手段は、録画不可又は録画不備を生じるとの判断を得たときに前記記憶手段の内容に基づいて再生済みの録画番組が存在するかどうかを判断し、存在するとの判断を得たときに当該番組が録画装置に残っているかどうかを確認し、残っている場合には番組録画予約を実行して受信番組を前記再生済みの録画番組の記録領域上に上書き処理することを特徴とする録画装置制御機能付き放送受信装置。
【発明の詳細な説明】
【０００１】
【産業上の利用分野】
この発明は、ディジタル放送波を受信して録画する録画装置制御機能付き放送受信装置に関する。
【０００２】
【従来の技術】
例えば、衛星を用いたディジタル放送受信システムにおいては、ディジタル信号圧縮技術を用いて映像・音声信号を圧縮するとともに、複数番組の映像・音声ディジタル信号を時分割多重したストリーム（トランスポートストリーム）をトランスポンダ（衛星中継器）を経由して放送を行っている。一方、このようなディジタル放送を受信する放送受信装置は、アンテナを通して受け取ったディジタル放送の複数のトランスポンダのなかから一つをチューナによって選択し、この一つのトランスポンダに含まれる複数のチャンネルのうち一つをデマルチプレクス処理によって選択し、この選択したチャンネルのディジタル信号をデコードすることによって映像・音声信号を出力するようになっている。
【０００３】
ところで、従来より、ビデオカセットレコーダ（ＶＣＲ）を用い、予約した番組が開始される時刻になると自動的に予約チャンネルを設定して受信した番組を記録することが行われている。また、近年においては、インターフェイスとしてＩＥＥＥ１３９４を実装し、受信した番組を外部のＤ−ＶＨＳ等の録画装置に録画させることも可能である。
【０００４】
【発明が解決しようとする課題】
しかしながら、従来においては、たとえインターフェイスとしてＩＥＥＥ１３９４を実装していても、例えばテープ残量が僅かしかないのに録画予約処理を実行してしまうというものであった。
【０００５】
この発明は、上記の事情に鑑み、例えばテープ残量が僅かしかないのに録画予約処理が実行されてしまうといった不満を解消することができる録画装置制御機能付き放送受信装置を提供することを目的とする。
【０００６】
【課題を解決するための手段】
この発明の録画装置制御機能付き放送受信装置は、上記の課題を解決するために、ディジタル放送波を受信する受信手段と、番組の録画予約を受け付ける番組予約手段と、録画装置との間でデータ及び制御情報の送受を行うためのインターフェイスと、録画予約登録時に前記インターフェイスを用いて前記録画装置による録画が実行できるかどうかに関する情報を取得し、録画不可又は録画不備を生じると判断したときにはその旨の報知を行なう手段と、を備えたことを特徴とする。
【０００７】
上記の構成であれば、例えばテープ残量が僅かしかないときには、その旨の報知がなされるので、利用者はテープを取り替えるなどの適切な対応をとることが可能となる。
【０００８】
不備のない録画が行なえるとの判断が得られるまでは録画予約を受け付けないように構成するのがよい。これによれば、例えば利用者がテープを取り替えるなどの適切な対応をとらないかぎり録画予約できないことになり、未録画部分を生じてしまうような録画は確実に防止されることになる。
【０００９】
録画番組を再生したときに当該再生番組を特定する情報を取得して記憶しておく記憶手段を備えてもよい。また、録画番組を再生したときに当該再生番組を特定する情報を取得し、録画予約のために記憶しておいた番組の特定情報に一致するものがあれば、当該記憶している特定情報に対して再生済みを示す情報を付加して更新する記憶手段を備えてもよい。これによれば、再生済みのものと未再生のものを容易に判別できることになる。そして、このような記憶手段を備える構成において、録画不可又は録画不備を生じるとの判断を得たときに前記記憶手段の内容に基づいて再生済みの録画番組が存在するかを判断し、存在するとの判断を得たときに当該番組が録画装置に残っているかどうかを確認し、残っている場合には録画予約を実行して上書き処理するように構成してもよい。これによれば、利用者に例えばテープ交換の手間をかけさせずに録画実行が行なえることになる。
【００１０】
録画予約実行前に前記インターフェイスを用いて前記録画装置による録画が実行できるかどうかに関する情報を取得し、録画不可又は録画不備を生じると判断し且つ録画予約番組がペイ・パー・ビュー番組であるときには番組受信処理および録画処理を行なわない制御をするように構成されているのがよい。これによれば、録画ができない或いは未録画部分を生じてしまうような録画しかできないのに、ペイ・パー・ビュー番組を受信してしまって課金されるといった事態を防止することができる。
【００１１】
【発明の実施の形態】
以下、この発明の実施形態の録画装置制御機能付き放送受信装置を図１乃至図５に基づいて説明する。
【００１２】
アンテナ１は、屋外において所定の方向に向けて配置されており、ＢＳ（Ｂｒｏａｄｃａｓｔｉｎｇ  ｖｉａ  Ｓａｔｅｌｌｉｔｅ）から送られてくるディジタル放送波を受信する。このアンテナ１は、一般に周波数変換器を備え、受信／周波数変換した信号をチューナ２に与える。
【００１３】
チューナ２は、受信した高周波ディジタル変調信号のうちから特定周波数の信号を取り出す。すなわち、ディジタル放送の複数のトランスポンダのなかから一つを選択する処理を行う。また、チューナ２は、復調回路、逆インタリーブ回路、誤り訂正回路などを備えることにより、選択したディジタル変調信号を復調してトランスポートストリームを出力する。
【００１４】
デマルチプレクサ（ＤＥＭＵＸ）３は、チューナ２から出力されるトランスポートストリームを、ＭＰＥＧ２（Ｍｏｖｉｎｇ  Ｐｉｃｔｕｒｅ  Ｅｘｐｅｒｔｓ  Ｇｒｏｐｅ２）のビデオストリーム、オーデイオストリーム、およびＰＳＩ／ＳＩ（Ｐｒｏｇｒａｍ  Ｓｐｅｃｉｆｉｃ  Ｉｎｆｏｒｍａｔｉｏｎ／Ｓｅｒｖｉｃｅ  Ｉｎｆｏｒｍａｔｉｏｎ）に分離する。なお、図示しないデスクランブル部が設けられており、このデスクランブル部は、有料放送において行われるスクランブルをＩＣカード２１Ａに組み込まれている鍵情報によって解除する処理を行う。そして、デマルチプレクサ３におけるＴＳデコーダ３ａは、利用者によって選択された番組を構成するトランスポートストリーム（以下、パーシャルＴＳという）をＭＰＵ１７の指令（指示されたＰＩＤ）に基づいて取り出してストリーム記録・再生部４に供給し、ＡＶデコーダ７へはビデオストリーム及びオーディオストリームを供給する。なお、トランスポートストリームには複数のチャンネルが多重化されており、このなかから任意のチャンネルを選択するための処理は、前記ＰＳＩ／ＳＩ（ＰＡＴ／ＰＭＴ）から任意のチャンネルがトランスポート・ストリーム中でどのパケットＩＤ（ＰＩＤ）で多重化されているかといったデータを取り出すことで可能となる。また、トランスポート・ストリームの選定（トランスボンダの選定）もＰＳＩ／ＳＩ（ＰＡＴ／ＰＭＴ）の情報に基づいて行うことができる。更に、ＳＩには、番組情報（番組内容、番組開始時刻、番組継続時間、ジャンルコード等）が含まれている。そして、ｐｆＥＩＴａ（Ｐｒｅｓｅｎｔ／ｆｏｌｌｗｉｎｇ  ＥＩＴ  ａｃｔｕａｌ）等により、番組開始時刻、番組継続時間、イベントＩＤを特定できる。番組録画予約の管理のために、ネットワークＩＤ、サービスＩＤ（必要であればトランスポートストリームＩＤも）、イベントＩＤ（必要であれば番組名も）、及び番組開始時間／継続時間が後述の不揮発性メモリ１８に格納される。また、パーシャルＴＳは前記ＳＩを保持しており、パーシャルＴＳの再生において番組情報の取得が行なえる。
【００１５】
ストリーム記録・再生部４は、外部録画装置（ハードディスクやＭＯ等があるが、この実施形態ではＤ−ＶＨＳとする）３１との間でＩＥＥＥ１３９４インターフェース５を通じてデータや制御信号のやりとりを行い、ＴＳデコーダ３ａから出力されたパーシャルＴＳを外部録画装置３１に書き込み（記録）、また、外部録画装置３１からパーシャルＴＳを読み出すことができる（再生）。
【００１６】
ＡＶデコーダ７はビデオストリームに対してデコードを行うビデオデコーダ、及びオーディオストリームに対してデコードを行うオーディオデコーダを備える。ビデオデコーダは、入力された可変長符号を復号して量子化係数や動きベクトルを求め、逆ＤＣＴ変換や動きベクトルに基づく動き補償制御などを行う。オーディオデコーダは、入力された符号化信号を復号して音声データを生成する。
【００１７】
映像処理回路８は、ＡＶデコーダ７から映像データを受け取ってＤ／Ａ変換を行い、例えばＮＴＳＣフォーマットのコンポジット信号に変換する。音声信号処理回路９は、ＡＶデコーダ７から出力された音声データを受け取ってＤ／Ａ変換を行い、例えば右（Ｒ）音のアナログ信号および左（Ｌ）音のアナログ信号を生成する。
【００１８】
映像出力回路１０及び音声出力回路１１は出力抵抗や増幅器等を備えて成る。ＡＶ出力端子１２には出力部（左右音声出力端子等や映像出力端子のセット）が設けられており、この出力部には、ディスプレイやスピーカを備えるモニタ１４が映像／音声コード１３によって接続される。
【００１９】
ＯＳＤ（オンスクリーンディスプレイ）回路１９は、ＭＰＵ１７から出力指示された文字情報や色情報に基づくビットマップデータを加算器２０に出力する。加算器２０は前記ビットマップデータを映像データに組み込む処理を行う。上記ＯＳＤ回路１９により、ＭＰＵ１７が受け取ったＳＩに基づくＥＰＧ（Ｅｌｅｃｔｒｏｎｉｃ  Ｐｒｏｇｒａｍ  Ｇｕｉｄｅ）画面表示や録画処理に関してのメニュー表示などが実現される。
【００２０】
リモコン送信機１５は、当該放送受信装置３０に指令を送出するための送信機である。このリモコン送信機１５に設けられたキーを操作すると、そのキーに対応した指令を意味する信号光（リモコン信号）が図示しない発光部から送出される。リモコン受光器１６は、前記リモコン送信機１５のキーが操作されたときに出射される信号光を受光し、これを電気信号に変換してＭＰＵ１７に与える。
【００２１】
不揮発性メモリ（例えば、ＥＥＰＲＯＭなど）１８には、番組ガイドに利用されるサービス情報（番組内容、番組開始時刻、番組継続時間等）、録画予約情報などがＭＰＵ１７の処理によって格納される。また、ＭＰＵ１７の処理により、外部録画装置３１にて再生を行なったときに、当該再生番組を特定する情報を取得して記憶しておく、或いは、外部録画装置３１にて再生を行なったときに、当該再生番組を特定する情報を取得し、録画完了後も残しておいた録画予約情報録中に前記番組の特定情報に一致するものがあれば、当該記憶している特定情報に対して再生済みを示す情報を付加して更新するようになっている。これにより、再生済みのものと未再生のものを容易に判別できることになる。
【００２２】
ＩＣカード２１Ａは、有料放送を視聴可能にするための鍵情報や番組毎に課金対象となるＰＰＶ（ペイ・パー・ビュー）番組の購入履歴情報などを格納する。ＣＡモジュール２１は、ＭＰＵ１７とＩＣカード２１Ａとの間で諸情報の書き込み処理や読み出し処理を行う。この諸情報には、有料ディジタル放送を視聴するのに必要とされる鍵情報や購入履歴情報などがある。
【００２３】
モデム２２は、定期的に課金情報の伝送を行うときのダイヤルアップ接続においてＭＰＵ１７の制御の下で動作する。
【００２４】
ＭＰＵ１７は、この放送受信装置３０における全体制御を行うものであるが、特にこの発明にかかる制御として以下の番組録画登録制御や番組録画実行制御を行なうようになっている。
【００２５】
図２は、ＥＰＧ画面から録画予約登録を行う場合の処理を示したフローチャートである。ユーザがリモコン送信機１５等を用いて録画予約対象の番組をＥＰＧ上で選択すると（ステップＳ１）、ＭＰＵ１３はＩＥＥＥ１３９４インターフェース５経由で外部録画装置３１のテープ状態を確認する（ステップＳ２）。
【００２６】
テープ状態の情報を取得できなかった場合（ステップＳ３でＮＯ）には、テープの状態が不明であることを画面に表示し（ステップＳ４）、ステップＳ９に進む。テープ状態の情報が取得できた場合（ステップＳ３でＹＥＳ）には、かかる情報に基づきテープの有無及びテープ残量を判断する（ステップＳ５，ステップＳ７）。テープが入っていなければ、テープがないことを画面に表示し（ステップＳ６）、テープ残量が足らなければ、テープ残量が不足していることを画面に表示する（ステップＳ８）。テープ残量は例えばテープカウンタ値を外部録画装置３１から取得することで判断でき、残量不足か否かは、前記カウンタ値に基づく推定録画可能時間とＳＩにおける番組継続時間とによって判断できる。
【００２７】
ステップＳ９では、ＭＰＵ１３はユーザに録画予約登録を行うかどうかの判断を求める。図示はしないが、画面に「予約登録を実行しますか」などのメッセージ及び「ＹＥＳ」「ＮＯ」のボタンなどを表示し、ユーザに選択を促すこととしてもよい。予約登録を行わない場合（ステップＳ９でＮＯ）にはＥＰＧ画面表示に戻り、予約登録を行う場合にはＭＰＵ１３は不揮発性メモリ１８へ録画予約番組の情報を書き込む処理を行う（ステップＳ１０）。そして、「予約されました」などのメッセージを画面に一定時間表示し（ステップＳ１１）、ＥＰＧ画面表示に戻る（ステップＳ１２）。
【００２８】
図３は、録画予約を実行する場合の処理を示したフローチャートである。ＭＰＵ１７は、録画予約登録において設定された録画開始時間（番組開始時間）を監視している（ステップＳ２１）。そして、録画開始時間の例えば数秒乃至数十秒秒前になると（ステップＳ２２でＹＥＳ）、録画予約番組がＰＰＶ番組であるかどうかを判断し（ステップＳ２３）、ＰＰＶ番組でければ録画処理を実行する（ステップＳ２９，Ｓ３０）。ＰＰＶ以外の番組では課金は発生しないので、どのようなテープ状況において録画しようとも利用者にはさほど不利益を与えないものと考えられる。一方、録画予約番組がＰＰＶ番組である場合には、ＭＰＵ１７はＩＥＥＥ１３９４インターフェース５経由で外部録画装置３１のテープ状態を確認する（ステップＳ２４）。ＭＰＵ１７は、テープの情報を確認できなかった場合（ステップＳ２５でＮＯ）、テープ無しを確認した場合（ステップＳ２６でＮＯ）、残量不十分を確認した場合（ステップＳ２７でＮＯ）は、予約実行を中止する（ステップＳ２８）。
【００２９】
一方、テープの情報を確認でき（ステップＳ２５でＹＥＳ）、テープ有りを確認し（ステップＳ２６でＹＥＳ）、更に残量十分を確認した場合（ステップＳ２７でＹＥＳ）は、ＭＰＵ１７は録画予約番組を選局し（ステップＳ２９）、外部録画装置３１を制御して録画処理を実行する（ステップＳ３０）。
【００３０】
図４は、予約録画した番組を再生する場合の処理を示したフローチャートである。受信装置３０は再生されたパーシャルＴＳをＩＥＥＥ１３９４インターフェース５経由でＴＳデコーダ３ａに入力し（ステップＳ３１）、再生ストリームに多重されているＰＡＴ／ＰＭＴ（Ｐｒｏｇｒａｍ  Ａｓｓｏｃｉａｔｉｏｎ  Ｔａｂｌｅ／Ｐｒｏｇｒａｍ  Ｍａｐｐｅｄ  Ｔａｂｌｅ）を確定し（ステップＳ３２）、再生対象となる映像・音声のストリームをＡＶデコーダ７に供給し、映像表示を行なう（ステップＳ３３）。このとき、再生ストリームからＳＩＴ（ＳＩテーブル）を取得する（ステップＳ３４）。ＭＰＵ１７は取得したＳＩＴによって再生番組を特定し（ステップＳ３５）、また、不揮発性メモリ１８の録画履歴情報を参照し（ステップＳ３６）、再生番組と同番組の情報が存在するかどうかを判断する（ステップＳ３７）。ステップ３７においてＮＯである場合には処理を終了し、ＹＥＳである場合には不揮発性メモリ１８の録画履歴情報に再生済み情報を付加する更新処理を行ない（ステップＳ３８）、処理を終了する。
【００３１】
図５はＥＰＧ画面から再度録画予約登録を行う場合の処理を示したフローチャートである。なお、受信装置３０からＩＥＥＥ１３９４インターフェース５経由で外部録画装置３１の基本的な走行に関する制御（テープの早送りや巻き戻しなど）が行えるようにしてある。ユーザが録画予約番組の指定を行なうと（ステップＳ４１）、ＭＰＵ１７は図２で示した録画予約処理と同様の方法でテープの残量が不足していないかどうかを判断する（ステップＳ４２）。テープの残量に問題がない場合には（ステップＳ４２でＮＯ）、録画予約登録処理を実行する（ステップＳ４３）。一方、テープの残量が不足していると判断された場合には（ステップＳ４２でＹＥＳ）、不揮発性メモリ１８を参照し、消去可能なデータがあるかどうかを確認する（ステップＳ４４）。ここで、消去可能なデータとは、図４の再生処理において再生したものであると不揮発性メモリ１８に記録された番組である。
【００３２】
消去可能なデータが存在しない場合（ステップＳ４５でＮＯ）には、ステップＳ４８に進む。消去可能なデータが存在する場合（ステップＳ４５でＹＥＳ）には、ＭＰＵ１７は消去可能な番組がテープにあるかどうかを確認する（ステップＳ４６）。消去可能な番組がテープにない場合には、予約登録を中止し（ステップＳ４８）、例えば、「予約登録不可」といったメッセージを出力する。一方、消去可能な番組がある場合には、消去可能な番組が記録されているテープ開始位置まで巻き戻す（ステップＳ４９）。そして、上書き予約登録が完了したことを画面に表示する（ステップＳ５０）。
【００３３】
なお、上記処理例において、消去可能なデータがある場合には、テープの早送りや巻き戻しなどの操作を伴うことがあるので、時間を要することを示すメッセージを画面に表示するのがよい。また、テープ位置を示すカウンタ値をリアルタイムで取得するようにすれば、消去可能な番組のテープポイントへのテープ位置調整を効率よく行うことができる。また、録画処理の際、テープカウンタ情報を不揮発性メモリ１８に記録しておく構成とすれば、更に効率よくテープを制御することが可能となる。また、テープの早送りや巻き戻しにより再生されたパーシャルＴＳ中のＳＩＴを取得することによりテープ記録内容の確認を行なうことができる。早送り再生で取得されたＳＩＴがそれまでの早送り再生で得られていたＳＩＴと異なる番組のものとなった場合、その番組の長さ分（番組継続時間）だけ早送りを行なうことで、カウンタ値の取得やカウンタ情報のメモリ保持を行なわずに済ませることも可能である。
【００３４】
以上説明したように、この実施形態の録画装置制御機能付き放送受信装置であれば、例えばテープ残量が僅かしかないときには、その旨の報知がなされるので、利用者はテープを取り替えるなどの適切な対応をとることが可能となる。そして、録画可との判断が得られるまでは録画予約を受け付けない構成では、例えば利用者がテープを取り替えるなどの適切な対応をとらないかぎり録画予約できないことになり、未録画部分を生じてしまうような録画は確実に防止されることになる。また、録画番組を再生したときに当該再生番組を特定する情報を取得して不揮発性メモリ１８に記憶したり、録画予約のために記憶しておいた番組の特定情報に一致するものがあれば、それに対して再生済みを示す情報を付加して不揮発性メモリ１８に記憶するので、再生済みのものと未再生のものを容易に判別できるようになる。そして、このような記憶を手がかりにして、再生済みの録画番組がテープに残っているかどうかを判断し、残っている場合には録画予約を実行して上書き処理する構成であれば、利用者に例えばテープ交換の手間をかけさせずに録画実行が行なえることになる。
【００３５】
また、録画予約実行前に外部録画装置３１による録画が実行できるかどうかに関する情報を取得し、録画不可と判断され且つ録画予約番組がペイ・パー・ビュー番組であるときには番組受信および録画を行なわないので、録画ができない或いは未録画部分を生じてしまうような録画しかできないのに、課金されてしまうといった事態を防止することができる。
【００３６】
【発明の効果】
以上説明したように、この発明によれば、例えばテープ残量が僅かしかないのに録画予約処理が実行されてしまうといった不満を解消することができる等の諸効果を奏する。
【図面の簡単な説明】
【図１】この発明の実施形態の録画装置制御機能付き放送受信装置を示すブロック図である。
【図２】この実施形態を示す図であって、ＥＰＧ画面から録画予約登録を行う場合の処理を示したフローチャートである。
【図３】この実施形態を示す図であって、録画予約を実行する場合の処理を示したフローチャートである。
【図４】この実施形態を示す図であって、予約録画した番組を再生する場合の処理を示したフローチャートである。
【図５】この実施形態を示す図であって、ＥＰＧ画面から再度録画予約登録を行う場合の処理を示したフローチャートである。
【符号の説明】
１    アンテナ
２    チューナ
３    デマルチプレクサ（ＤＥＭＵＸ）
４    ストリーム記録・再生部
５    ＩＥＥＥＥ１３９４インターフェース
３０  録画装置制御機能付き放送受信装置
３１  外部録画装置
【図１】
0003989251.tif 000002
【図２】
0003989251.tif 000003
【図３】
0003989251.tif 000004
【図４】
0003989251.tif 000005
【図５】
0003989251.tif 000006